(57)【特許請求の範囲】
【請求項１】
カーラジオを顧客個別に適合化する方法であって、
該カーラジオは、マイクロプロセッサ制御部および相応する装置内部のオペレーティングソフトウェアを有しており、
当該のオペレーティングソフトウェアを変更するインタフェースと、当該のインタフェースによって読み出し可能な装置外部の記憶装置が設けられており、
カーラジオの種々異なる機能に対する種々異なるソフトウェアモジュールから選択を行い、
当該の選択を前記記憶装置に記憶し、
カーラジオの始動のため、前記記憶装置を前記インタフェースに接続する形式の、カーラジオを顧客個別に適合化する方法において、
前記の記憶装置に記憶されたソフトウェアモジュールをオペレーティングソフトウェアの拡張部としてカーラジオにロードすることを特徴とする、
カーラジオを顧客個別に適合化する方法。
【請求項２】
前記のカーラジオの種々異なる機能に対する種々異なるソフトウェアモジュールの選択の後、カーラジオまたはただ１つのソフトウェアモジュールの機能範囲のシミュレーションを行う、
請求項１に記載の方法。
【請求項３】
前記のカーラジオの機能範囲のシミュレーションを、インターネット、エクストラネット、イントラネット、別のコンピュータネットワークにて、またはデータ担体を用いて利用可能にする
請求項２に記載の方法。
【請求項４】
前記の外部記憶装置として、ＰＣＭＣＩＡカード、チップカード、マネーカード、キーカード、パーソナルコンピュータ（ＰＣ）またはノートブックを使用する、
請求項１から３までのいずれか１項に記載の方法。
【請求項５】
前記のカーラジオの種々異なる機能に対する種々異なるソフトウェアモジュールの選択をインターネットにて利用可能にする、
請求項１から４までのいずれか１項に記載の方法。
【発明の詳細な説明】
【０００１】
技術の分野
本発明は、請求項１の上位概念に記載された、カーラジオを顧客個別に適合化する方法に関し、ここでこのカーラジオは、マイクロプロセッサ制御部と、装置内部の相応するオペレーティングソフトウェアとを有し、このオペレーティングソフトウェアを変更するためのインタフェースと、このインタフェースによって読み出し可能な、装置外部の記憶装置とが設けられている。
【０００２】
従来の技術
ＤＥ−Ａ−１９６３２１９７から電気装置のプログラミング方法が公知であり、この方法により、チップカードを介して装置内部のソフトウェアを簡単に変更することができる。この目的で設けられたチップカードは、このために記憶ユニットを有する。装置それ自体は、チップカードを介するこのプログラミングに対してロードルーチンを有しており、これはこの装置の記憶装置に格納されている。
【０００３】
本発明の説明、課題、解決手段、利点
本発明の課題は、上記の形式のカーラジオを改善して、その機能範囲を簡単に、相応する顧客の要望にしたがって変更できるようにすることである。
【０００４】
この課題は、請求項１の特徴部分に記載された特徴的構成を有する、上記の形式のカーラジオによって解決される。
【０００５】
このために本発明では、カーラジオの種々異なる機能に対する別個のソフトウェアモジュールから選択し、この選択を記憶装置に記憶し、カーラジオを動作させるためにこの記憶装置と、インタフェースとを接続し、記憶装置に記憶されたソフトウェアモジュールをオペレーティングソフトウェアの拡張部としてカーラジオにロードする。
【０００６】
このことの利点は、カーラジオの機能範囲が、相応するソフトウェアコンポーネントを追加することによって簡単に変更可能であり、エンドユーザはまず、このエンドユーザが所望する機能だけを有するコスト的に有利な基本装置を購入し、後になってはじめて、経済的なコストを相応に時間的に分散させながらその基本装置の機能の多様性をしだいに拡張できることである。したがって基本装置の最初の購入時にエンドユーザは、所望しない、ないしは不要な機能に対して支出する必要がないのである。ただ１つの基本装置により、ソフトウェアモジュールを簡単に組み合わせることによって、多くの個別の顧客の要望を満たすことができ、同時にエンドユーザには後の機能拡張の選択肢が提供される。さらにエンドユーザは技術的な拡張に関与し続け、これには所有する機能範囲の、場合によっては改良されたソフトウェアコンポーネントだけを更新するだけでよい。さらにエンドユーザは、完全に新たにプログラムされた機能を後から補足することができる。
【０００７】
本発明の装置の有利な発展形態は、請求項２〜５に記載されている。
【０００８】
エンドユーザが選択をチェックし、この選択が要求に合うか否かを確認できるようにするため、カーラジオの種々異なる機能に対する種々異なるソフトウェアモジュールが選択された後、このカーラジオの機能範囲のシミュレーションが行われる。
【０００９】
外部の記憶装置として有利にはＰＣＭＣＩＡカードを使用する。しかしながら、カーラジオとの相応のインタフェースを有する外部記憶媒体であればどれでも使用可能であり、これには例えばチップカード、マネーカード、キーカード、パーソナルコンピュータ（ＰＣ）、ノートブックなどがある。
【００１０】
広い顧客層の心に訴えかけまた機能範囲の選択を用意にするため、カーラジオの種々異なる機能に対する種々異なるソフトウェアモジュールの選択および／または選択されたソフトウェアパッケージないしは個別のソフトウェアモジュールのシミュレーションを、インターネット、エクストラネット、イントラネットまたは別のコンピュータネットワークにおいて、またはデータ担体を用いて利用可能にする。
【００１１】
本発明を実施するための最善の手段
本発明の方法ではまず、計画されたすべての機能に対する相応のハードウェアを有するカーラジオを基本装置の形式で提供する。相応するマイクロプロセッサ制御部は、カーラジオの基本ソフトウェアならびに種々の機能に対するソフトウェアモジュールを含み、ここでこのソフトウェアモジュールは、基本ソフトウェアにより、例えばチップカードまたはキーカードのようなチップを介してロード可能である。エンドユーザは、はじめのうちはまだソフトウェアモジュールしか備えていない基本装置を店で購入し、いくつかの入手可能なソフトウェアモジュールの中から、このエンドユーザがその基本装置で利用したいと思う機能ないしは機能特徴を有するソフトウェアモジュールを選択する。これらの機能は、例えばモニタを介して選択され、また行なわれたこの選択が望みおよび要求にかなうとこのエンドユーザが納得するまで、シミュレーションにおいて直ちにテストすることも可能である。
【００１２】
選択の終了後、選択されたソフトウェアモジュールは外部の記憶媒体、例えカードにコピーされ、購入価格が、選択されたこのソフトウェアモジュールの種類および範囲に応じて計算される。この外部記憶媒体によって、エンドユーザはその基本装置を始動させる。これはこのエンドユーザが、この記憶媒体と、基本装置のインタフェースとを接続し、ソフトウェアモジュールをこの基本装置にロードすることによって行われる。これによりこのエンドユーザは、ソフトウェアモジュールに割り当てられた機能を利用することができる。
【００１３】
コピー保護を実現するために有利には、ソフトウェアモジュールは、エンドユーザの基本装置に個別化してないしは装置に関連させて作成される。すなわちソフトウェアモジュールは、例えば基本装置のシリアル番号に基づいて、このソフトウェアモジュールがこの装置用に購入されているか否かを識別することができる。別の基本装置においてこのソフトウェアモジュールはロードできないか、または起動することができない。
【００１４】
エンドユーザは後に、例えば、インターネット、エクストラネット、イントラネット、別のコンピュータネットワークを介するダウンロードにより、または店のモニタで、別のソフトウェアモジュールの形態で別の機能をテストし、場合によって追加購入することができる。
【００１５】
実践的にはエンドユーザは、店でカーラジオを基本装置として購入し、そこで、このエンドユーザが選択した装置用に端末装置で所望の機能をソフトウェアモジュールの形態で選択することができる。場合によってはこのエンドユーザはすでに前もってインターネットによりオンラインでこれを行っていることもある。端末装置ないしはインターネットでは種々異なる機能の動作をシミュレーションされ、これによって決定を補助するさらなる付加的な手段が利用できる。注意すべきであるのは、顧客が選択するのは機能であり、この機能は相応するソフトウェアモジュールによってサポートされてことである。選択の終了後、エンドユーザは、このエンドユーザ用に調整された外部記憶装置を受け取り、これに、選択された機能をサポートするソフトウェアモジュールが記憶されており、また場合によっては装置固有に作成される。ソフトウェアモジュールのこの個別のパッケージは、基本装置にロードされた後、所望の操作および機能範囲を発揮する。後にこのエンドユーザはインターネットまたは店で別の機能をシミュレーションして選択することができる。購入を決定するとつぎにこのエンドユーザの外部記憶装置に付加的なソフトウェアモジュールが伝送される。つぎにエンドユーザが、補充されたこの記憶装置を基本装置に挿入すると直ちにこの付加的なソフトウェアモジュールは基本装置にロードされ、相応の機能が利用可能になる。付加的にはすでにエンドユーザが購入したソフトウェアモジュールを記憶装置上で更新することができ、これによってエンドユーザは、新たな機能を追加購入しなくても装置の技術的な発展に関わることができる。すでに購入したソフトウェアモジュールの更新は、場合によっては有料で行われる。
【００１６】
取引の流れを防護するため、例えば支払流通の公知の手段およびソフトウェアの個別の暗号化が設けられる。
【００１７】
オペレーティングソフトウェアならびに付加モジュールのカーラジオへの格納は、例えば、ＰＣＭＣＩＡカードまたは別の外部記憶媒体を用いて、ないしはこのカーラジオの有利なインタフェースを介して行われる。さらにオペレーティングソフトウェアならびに付加モジュールによるカーラジオのこのような「燃料補給」および／またはカーラジオ購入時のソフトウェアモジュールのシミュレーションは、択一的にはネットワーク、例えばインターネット、エクストラネット、イントラネット、別のコンピュータネットワークを介して、またはデータ担体を介して行われる。